(57)【要約】【課題】利用者のアクセスやログインの頻度を高め、コミュニティサイトにおける情報交換等の活動を活発にしてサイトの魅力を高め、更にアクセス回数を増大させることを目的とする。【解決手段】利用者からコミュニティサイトへのログインがあった場合、利用者の素材画像を取得する画像取得手段と、画像取得手段で受け付けられた素材画像を提供した利用者の数及び各利用者のコミュニティサイトへの寄与度を取得する取得手段と、目標画像を２以上の領域に分割する分割手段と、取得手段で取得された利用者の数及び各利用者のコミュニティサイトへの寄与度に基づいて、寄与度が高い利用者の素材画像から順に前記分割手段で分割された目標画像の複数の領域のうち面積の大きな領域が割り当てられるよう割り当てを行い、モザイク画像を生成する生成手段と、を有することによって課題を解決する。【選択図】図３Ａ
2013222330.tif 000002
【特許請求の範囲】
【請求項１】
コミュニティサイトを管理するコミュニティサイト管理装置であって、
利用者からコミュニティサイトへのログインがあった場合、利用者の素材画像を取得する画像取得手段と、
前記画像取得手段で受け付けられた素材画像を提供した利用者の数及び各利用者のコミュニティサイトへの寄与度を取得する取得手段と、
目標画像を２以上の領域に分割する分割手段と、
前記取得手段で取得された利用者の数及び各利用者のコミュニティサイトへの寄与度に基づいて、寄与度が高い利用者の素材画像から順に前記分割手段で分割された目標画像の複数の領域のうち面積の大きな領域が割り当てられるよう割り当てを行い、モザイク画像を生成する生成手段と、
を有するコミュニティサイト管理装置。
【請求項２】
前記生成手段は、割り当てを行う際、面積の大きさが異なる画像が隣接し、重なりが生じた場合、面積が小さい画像を面積が大きい画像の手前に表示されるように前記モザイク画像を生成する請求項１記載のコミュニティサイト管理装置。
【請求項３】
コミュニティサイトを管理するコミュニティサイト管理装置であって、
利用者からコミュニティサイトへのログインがあった場合、利用者の素材画像を取得する画像取得手段と、
前記画像取得手段で受け付けられた素材画像を提供した利用者の数及び各利用者のコミュニティサイトへの寄与度を取得する取得手段と、
目標画像を２以上の領域に分割する分割手段と、
前記取得手段で取得された利用者の数及び各利用者のコミュニティサイトへの寄与度に基づいて、寄与度が高い利用者の素材画像から順に前記分割手段で分割された目標画像の複数の領域のうち多くの数の領域が割り当てられるよう割り当てを行い、モザイク画像を生成する生成手段と、
を有するコミュニティサイト管理装置。
【請求項４】
コミュニティサイトを管理するコミュニティサイト管理装置であって、
利用者からコミュニティサイトへのログインがあった場合、利用者の素材画像を取得する画像取得手段と、
前記画像取得手段で受け付けられた素材画像を提供した利用者の数及び各利用者のコミュニティサイトへの寄与度を取得する取得手段と、
目標画像を２以上の領域に分割する分割手段と、
前記分割手段で分割された領域に対して重要度を割り当てる割り当て手段と、
前記取得手段で取得された利用者の数及び各利用者のコミュニティサイトへの寄与度に基づいて、寄与度が高い利用者の素材画像から順に分割された目標画像の複数の領域のうち前記割り当て手段で割り当てられた重要度の高い領域が割り当てられるよう割り当てを行い、モザイク画像を生成する生成手段と、
を有するコミュニティサイト管理装置。
【請求項５】
前記生成手段は、利用者がコミュニティサイトからログアウトした場合、ログアウトした利用者の素材画像を除いて、前記モザイク画像を再び生成する請求項１乃至４何れか１項記載のコミュニティサイト管理装置。
【請求項６】
コミュニティサイトを管理するコミュニティサイト管理装置が実行するモザイク画像生成方法であって、
利用者の素材画像を取得する画像取得ステップと、
前記画像取得ステップで受け付けられた素材画像を提供した利用者の数及び各利用者のコミュニティサイトへの寄与度を取得する取得ステップと、
目標画像を２以上の領域に分割する分割ステップと、
前記取得ステップで取得された利用者の数及び各利用者のコミュニティサイトへの寄与度に基づいて、寄与度が高い利用者の素材画像から順に、前記分割ステップで分割された目標画像の複数の領域のうち、面積の大きな領域が割り当てられるよう割り当てを行い、モザイク画像を生成する生成ステップと、
を含むモザイク画像生成方法。
【請求項７】
コミュニティサイトを管理するコミュニティサイト管理装置が実行するモザイク画像生成方法であって、
利用者の素材画像を取得する画像取得ステップと、
前記画像取得ステップで受け付けられた素材画像を提供した利用者の数及び各利用者のコミュニティサイトへの寄与度を取得する取得ステップと、
目標画像を２以上の領域に分割する分割ステップと、
前記取得ステップで取得された利用者の数及び各利用者のコミュニティサイトへの寄与度に基づいて、寄与度が高い利用者の素材画像から順に、前記分割ステップで分割された目標画像の複数の領域のうち、多くの数の領域が割り当てられるよう割り当てを行い、モザイク画像を生成する生成ステップと、
を含むモザイク画像生成方法。
【請求項８】
コミュニティサイトを管理するコミュニティサイト管理装置が実行するモザイク画像生成方法であって、
利用者の素材画像を取得する画像取得ステップと、
前記画像取得ステップで受け付けられた素材画像を提供した利用者の数及び各利用者のコミュニティサイトへの寄与度を取得する取得ステップと、
目標画像を２以上の領域に分割する分割ステップと、
前記分割ステップで分割された領域に対して重要度を割り当てる割り当てステップと、
前記取得ステップで取得された利用者の数及び各利用者のコミュニティサイトへの寄与度に基づいて、寄与度が高い利用者の素材画像から順に、分割された目標画像の複数の領域のうち、前記割り当てステップで割り当てられた重要度の高い領域が割り当てられるよう割り当てを行い、モザイク画像を生成する生成ステップと、
を含むモザイク画像生成方法。
【請求項９】
コンピュータに、
利用者の素材画像を取得する画像取得ステップと、
前記画像取得ステップで受け付けられた素材画像を提供した利用者の数及び各利用者のコミュニティサイトへの寄与度を取得する取得ステップと、
目標画像を２以上の領域に分割する分割ステップと、
前記取得ステップで取得された利用者の数及び各利用者のコミュニティサイトへの寄与度に基づいて、寄与度が高い利用者の素材画像から順に、前記分割ステップで分割された目標画像の複数の領域のうち、面積の大きな領域が割り当てられるよう割り当てを行い、モザイク画像を生成する生成ステップと、
を実行させるためのプログラム。
【請求項１０】
コンピュータに、
利用者の素材画像を取得する画像取得ステップと、
前記画像取得ステップで受け付けられた素材画像を提供した利用者の数及び各利用者のコミュニティサイトへの寄与度を取得する取得ステップと、
目標画像を２以上の領域に分割する分割ステップと、
前記取得ステップで取得された利用者の数及び各利用者のコミュニティサイトへの寄与度に基づいて、寄与度が高い利用者の素材画像から順に、前記分割ステップで分割された目標画像の複数の領域のうち、多くの数の領域が割り当てられるよう割り当てを行い、モザイク画像を生成する生成ステップと、
を実行させるためのプログラム。
【請求項１１】
コンピュータに、
利用者の素材画像を取得する画像取得ステップと、
前記画像取得ステップで受け付けられた素材画像を提供した利用者の数及び各利用者のコミュニティサイトへの寄与度を取得する取得ステップと、
目標画像を２以上の領域に分割する分割ステップと、
前記分割ステップで分割された領域に対して重要度を割り当てる割り当てステップと、
前記取得ステップで取得された利用者の数及び各利用者のコミュニティサイトへの寄与度に基づいて、寄与度が高い利用者の素材画像から順に、分割された目標画像の複数の領域のうち、前記割り当てステップで割り当てられた重要度の高い領域が割り当てられるよう割り当てを行い、モザイク画像を生成する生成ステップと、
を実行させるためのプログラム。
【発明の詳細な説明】
【技術分野】
【０００１】
本発明は、コミュニティサイト管理装置、モザイク画像生成方法及びプログラムに関する。
【背景技術】
【０００２】
ネットワークに接続した利用者が特定のテーマやジャンルについて掲示板やチャット、メーリングリスト、スケジューラー、共有ファイル、メッセンジャー等により情報や意見を交換したり、データを共有したりする、コミュニティサイトといわれるサイトがある。
こうしたコミュニティサイトは、利用者のアクセスやログインの頻度が高く、情報交換等が活発に行われるほど、サイト自身の魅力が増し、更にアクセスやログインの頻度が高まるという循環的な性質を有している。したがって、コミュニティサイトを管理する上で、利用者のアクセスする意欲を高め、アクセス回数を向上させることがきわめて重要となる。
特許文献１では、新たなコミュニティサイトが作成されると、仮想空間内の仮想的な位置関係において新たなコミュニティサイトの近傍に位置するコミュニティに対して挨拶文を送信する技術が開示されている。
【０００３】
また、特許文献２では、複数の素材画像を用いてモザイク画像を生成する場合に、モザイク画像の元となる対象画像を複数ブロックに分割し、分割されたブロック内の各基本色の平均濃度値を目標濃度値としてそれぞれ算出する。そして、複数の素材画像のうちの１つの素材画像を配置すべき配置ブロックを上記複数ブロックの中からそのブロックの画像によらず決定し、素材画像内の各基本色の平均濃度値をそれぞれ算出して素材画像の各基本色の濃度値分布率をそれぞれ保持する。そして、その素材画像内の各基本色の平均濃度値がそれぞれ配置ブロック内の各基本色の目標濃度値となるようにその素材画像を色補正し、素材画像を配置ブロックに配置する。このことにより、それぞれの利用者が素材画像の配置位置を指定することのできる、モザイク画像生成の技術が開示されている。
【先行技術文献】
【特許文献】
【０００４】
【特許文献１】特開２００２−１４０４４３号公報
【特許文献２】特開２００９−１７１１５８号公報
【発明の概要】
【発明が解決しようとする課題】
【０００５】
特許文献１に開示される技術によれば、コミュニティに属しない者にコミュニティサイトの案内をすることができる。しかし、コミュニティサイトの利用者のアクセス頻度を高める技術は開示されていない。
特許文献２に開示される技術によれば、それぞれの利用者が素材画像の配置位置を指定することのできるモザイク画像を生成することができる。しかし、例えば利用者のアクセス頻度に応じて素材画像の配置位置等を変更するといった、アクセス回数を増やす仕組みの開示はなく、特許文献１と同様にコミュニティサイトの利用者のアクセス頻度を高める技術は開示されていない。
【０００６】
本発明はこのような問題点に鑑みなされたもので、利用者のアクセスやログインの頻度を高め、コミュニティサイトにおける情報交換等の活動を活発にしてサイトの魅力を高め、更にアクセス回数を増大させることを目的とする。
【課題を解決するための手段】
【０００７】
そこで、本発明は、コミュニティサイトを管理するコミュニティサイト管理装置であって、利用者からコミュニティサイトへのログインがあった場合、利用者の素材画像を取得する画像取得手段と、前記画像取得手段で受け付けられた素材画像を提供した利用者の数及び各利用者のコミュニティサイトへの寄与度を取得する取得手段と、目標画像を２以上の領域に分割する分割手段と、前記取得手段で取得された利用者の数及び各利用者のコミュニティサイトへの寄与度に基づいて、寄与度が高い利用者の素材画像から順に前記分割手段で分割された目標画像の複数の領域のうち面積の大きな領域が割り当てられるよう割り当てを行い、モザイク画像を生成する生成手段と、を有する。
【発明の効果】
【０００８】
本発明によれば、利用者のアクセスやログインの頻度を高め、コミュニティサイトにおける情報交換等の活動を活発にしてサイトの魅力を高め、更にアクセス回数を増大させることができる。
【図面の簡単な説明】
【０００９】
【図１】コミュニティサイト管理装置のハードウェア構成の一例を示す図である。
【図２】コミュニティサイト管理装置が、ネットワーク上の利用者の端末から情報を取得し、それぞれの端末にコミュニティサイトの情報を出力する態様を表したネットワーク概念図である。
【図３Ａ】実施形態１によるコミュニティサイト管理装置における判断処理の流れを示すフローチャートである。
【図３Ｂ】実施形態１によるコミュニティサイト管理装置におけるモザイク画像の生成処理の流れを示すフローチャートである。
【図４】実施形態１によるコミュニティサイト管理装置により管理されるコミュニティサイトについて利用者の端末上に表示される画面の遷移を表す画面遷移図である。
【図５】実施形態２によるコミュニティサイト管理装置における判断処理の流れを示すフローチャートである。
【図６Ａ】実施形態３によるコミュニティサイト管理装置における判断処理の流れを示すフローチャートである。
【図６Ｂ】分割した領域毎に重要度を算出処理の流れを示すフローチャートである。
【図７】実施形態４によるコミュニティサイト管理装置における判断処理の流れを示すフローチャートである。
【発明を実施するための形態】
【００１０】
以下、本発明の実施形態について図面に基づいて説明する。
【００１１】
図１は、コミュニティサイト管理装置のハードウェア構成の一例を示す図である。
本実施形態によるコミュニティサイト管理装置は、一般的なネットワークサーバーと同様の構成を有する。即ち、ＣＰＵ（Ｃｅｎｔｒａｌ  Ｐｒｏｃｅｓｓｉｎｇ  Ｕｎｉｔ）１１は、ＲＯＭ（Ｒｅａｄ  Ｏｎｌｙ  Ｍｅｍｏｒｙ）１２に記憶されているプログラムに従って各種の処理を実行する。ＲＡＭ（Ｒａｎｄｏｍ  Ａｃｃｅｓｓ  Ｍｅｍｏｒｙ）１３には、ＣＰＵ１１が各種の処理を実行する上において必要なデータやプログラム等が適宜記憶される。１４は、内部バスである。入出力インタフェース１５には、キーボードやマウスから構成される入力部１６が接続され、入力部１６より入力された信号をＣＰＵ１１に出力する。また、入出力インタフェース１５には、ディスプレイやスピーカー等から構成される出力部１７も接続される。更に、入出力インタフェース１５には、ハードディスク等から構成される記憶部１８、及び、ネットワークを介して端末とデータの授受を行う通信部１９も接続されている。
なお、ＣＰＵ１１が、ＲＯＭ１２に記憶されているプログラムに基づき処理を実行することによって、後述するフローチャートに係る処理等が実現される。
【００１２】
図２は、コミュニティサイト管理装置が、ネットワーク上の利用者の端末から情報を取得し、それぞれの端末にコミュニティサイトの情報を出力する態様を表したネットワーク概念図である。
端末２−１から２−Ｎまでは、ネットワーク２０につながれた、パーソナルコンピューターや携帯電話等の利用者端末である。コミュニティサイト管理装置２１には、コミュニティに関する情報が記憶されているコミュニティデータベース２２、利用者の情報が記憶されている利用者データベース２３が接続されている。なお、これらのデータベースはコミュニティサイト管理装置２１の記憶部１８に構築されてもよい。
本実施形態によるコミュニティサイト管理装置２１は、コミュニティサイトのテーマやジャンルを表す画像を目標画像とし、利用者の画像を素材画像とするモザイク画像を生成し、ネットワークに接続した利用者の端末上に表示する。
ここで、「モザイク画像」とは複数の小さな画像を並べて１つの大きな画像を生成し、全体を見ると一つの大きな画像（目標画像）が視認でき、詳細に見ると一つ一つの画像（素材画像）が視認できるものをいう。
【００１３】
＜実施形態１＞
図３Ａ及び図３Ｂは、実施形態１によるコミュニティサイト管理装置における判断処理の流れを示すフローチャートである。
本実施形態によるコミュニティサイト管理装置のＣＰＵ１１は、まずコミュニティデータベース２２より目標画像を読み出す（Ｓ３０１）。
次に、ＣＰＵ１１は、利用者からネットワーク２０を通じてログインがあったか否かを判定する（Ｓ３０２）。
ログインがあったときは、ＣＰＵ１１は、その利用者がコミュニティサイトの新規ユーザーか否かを判定する（Ｓ３０３）。
新規ユーザーでない場合は、ＣＰＵ１１は、利用者データベース２３からユーザー画像を読み出す（画像取得）（Ｓ３０４）。ここで「ユーザー画像」とはその利用者を写した画像や、その利用者が自身を表すのに適していると考えた事物のアイコン等であって、その利用者がコミュニティサイトにその利用者を表す画像として登録したものをいう。
新規ユーザーの場合には、ＣＰＵ１１は、その利用者からユーザー画像を新規に取得し、利用者データベース２３に記録する（Ｓ３０５）。
【００１４】
本実施形態によるコミュニティサイト管理装置のＣＰＵ１１は、次に、ログインをした利用者の、コミュニティサイトへの寄与度を算出する（Ｓ３０６）。ここで「寄与度」とは、コミュニティサイトの活性化に対する利用者の貢献の度合をいい、例えば、累積のログイン回数や掲示板への書き込み数、他の利用者をコミュニティサイトに勧誘した人数等に基づく。
そして、ＣＰＵ１１は、Ｓ３０１で取得した目標画像について、利用者のユーザー画像を素材画像としたモザイク画像を生成する（Ｓ３０７）。ＣＰＵ１１は、このモザイク画像生成において、利用者の寄与度の高い順に、その利用者のユーザー画像に対して大きな領域を割り当てる。以下、その処理の流れを、図３Ｂを用いて説明する。
【００１５】
本実施形態によるコミュニティサイト管理装置のＣＰＵ１１は、最初に、参加利用者数ｎを取得する（Ｓ３０７１）。
次に、ＣＰＵ１１は、Ｓ３０１で取得した目標画像からｎ個の特徴点を抽出する（Ｓ３０７２）。画像からの特徴点抽出については、画像を構成する画素の色成分の変化量に基づく方法等、種々多様な技術が実用可能に提供されている。例えば、特開平６−１６２１８０や特開平１１−２８８４６５において開示されている方法等である。
次に、ＣＰＵ１１は、この抽出された特徴点を母点として領域分割を行う（Ｓ３０７３）。領域分割の方法としては、例えば、同一平面に存在する複数の点（母点）に対して、同一平面のある点がどの母点に近いかによって領域分けするボロノイ分割等、種々多様な技術が実用可能に提供されている。例えば、特開平８−２１４２０５、特開２０１１−８６９９５に開示されている方法等である。
次に、ＣＰＵ１１は、この分割された領域ごとの面積を算出し（Ｓ３０７４）、利用者ごとの寄与度を取得し（Ｓ３０７５）、寄与度の高い利用者のユーザー画像から順に面積の大きな領域に割り当てる（Ｓ３０７６）。
【００１６】
次に、ＣＰＵ１１は、各ユーザー画像を、割り当てられた領域の面積に合わせてサイズ変更する（Ｓ３０７７）。
そして、ＣＰＵ１１は、各領域の重心とサイズ変更後の各ユーザー画像の重心とを一致させることで、各ユーザー画像を配置する（Ｓ３０７８）。ここで「重心」とは、不定型な領域について、等間隔に並ぶ画素の一つ一つに等価の質量を与えたときの、領域全体の質量分布の中心位置をいう。
ところで、目標画像の各領域の形状とそこに配置されるユーザー画像とは形状が異なるため、各ユーザー画像の形状を保ったまま領域に配置する際に、隣接するユーザー画像と重なりが生じる。そのため、素材画像の重なり順を決定する必要がある。本実施形態によるコミュニティサイト管理装置のＣＰＵ１１は、ユーザー画像の重なり順を、面積の小さな画像を面積の大きな画像よりも手前に表示するように決定する（Ｓ３０７９）。そうすると、面積の小さなユーザー画像が隣接する面積の大きなユーザー画像の後に隠れて画面上で表示されない事態を回避することができる。
【００１７】
本実施形態によるコミュニティサイト管理装置のＣＰＵ１１は、Ｓ３０７１〜Ｓ３０７９の処理でモザイク画像を生成した後、利用者の脱退があったかを判定する（Ｓ３０８）。
利用者の脱退があった場合、ＣＰＵ１１は、利用者データベース２３から、その利用者のユーザー画像を削除する（Ｓ３０９）。
【００１８】
図４は、実施形態１によるコミュニティサイト管理装置により管理されるコミュニティサイトについて利用者の端末上に表示される画面の遷移を表す画面遷移図である。
新規の利用者によりコミュニティサイトにログインがされたとき、コミュニティ管理装置のＣＰＵ１１は、利用者の端末上に図４の（ａ）の画面４０１のような画面を表示する。画面４０１は、新規利用者にプロフィール情報を登録させるための画面である。画面４０１中にはログインネーム入力用テキストボックス４０１１等と共に、ユーザー画像登録用のボタン４０１２が表示されている。
利用者によりボタン４０１２が指示されると、コミュニティ管理装置のＣＰＵ１１は、図４の（ｂ）のファイル選択ダイアログの画面４０２を表示する。これは、利用者に、ユーザー画像として登録したい画像ファイルを選択させるための画面である。
利用者によりユーザー画像の画像ファイルが選択されると、ＣＰＵ１１は、画面を図４の（ｃ）の画面４０３に遷移させる。画面４０３は、画面４０１と同様の、プロフィール情報登録用の画面である。利用者により選択されたユーザー画像４０３１が表示されている。利用者により他のプロフィール情報が入力され、ログインボタン４０３２が指示されると、コミュニティ管理装置のＣＰＵ１１は、この入力されたユーザー画像を、他のプロフィール情報と関連付けて利用者データベース２３に記録する。また、ＣＰＵ１１は、画面を図４の（ｄ）の画面４０４に遷移させる。
【００１９】
画面４０４は、コミュニティサイトのトップ画面であり、アカウント登録を終えている利用者がログインをしたときに最初に表示される画面である。画面４０４にはモザイク画像４０４１が、コミュニティサイトのタイトル４０４２等と共に表示されている。モザイク画像４０４１は、本実施形態によるコミュニティサイト管理装置のＣＰＵ１１が生成する画像であって、コミュニティサイトのテーマやジャンルを表す画像を目標画像とするものである。例えば、タレントの公式ファンサイトである場合は、そのタレントの写真等が用いられる。このモザイク画像４０４１は、参加している利用者のユーザー画像を素材画像とし、利用者の寄与度の高い順に面積の大きな領域に割り当てて構成される。そこで、利用者に対して、自分の素材画像を大きく表示させたいという動機を生じさせ、その利用者のコミュニティサイトへのアクセスや寄与を活発化させることとなる。
【００２０】
＜実施形態２＞
図５は、実施形態２によるコミュニティサイト管理装置における判断処理の流れを示すフローチャートである。
本実施形態によるコミュニティサイト管理装置のＣＰＵ１１が、利用者のログインを判定し、目標画像、ユーザー画像を取得し、利用者の寄与度を算出する処理は図３におけるＳ３０１〜Ｓ３０６と同様であるため、説明を省略する（Ｓ５０１）。
実施形態２によるコミュニティサイト管理装置は、利用者の寄与度の高い順に、その利用者のユーザー画像に対して多数の領域を割り当ててモザイク生成を行うが、その流れは以下のとおりである。
本実施形態のコミュニティサイト管理装置のＣＰＵ１１は、最初に、参加利用者数ｎを取得する（Ｓ５０２）。
次に、ＣＰＵ１１は、この参加利用者数ｎより十分大きな、暫定分割数ｄ０を設定する（Ｓ５０３）。この数ｄ０は、参加利用者数ｎに対して予め定められた数（例えば、ｎ＝１〜１００のときｄ０＝２００、ｎ＝１０１〜１０００のときｄ０＝２０００、等）としてもよいし、ｎから数式により求められた数（例えば、ｄ０＝２ｎ、等）としてもよい。
【００２１】
次に、ＣＰＵ１１は、利用者の寄与度の高い順に、その利用者のユーザー画像に対して多数の領域数を割り当てる。その方法としては、例えば、ＣＰＵ１１は、利用者の寄与度の総和ｓを求め、各利用者のユーザーごとに暫定分割数ｄ０をｓで割ったものに、その利用者の寄与度を乗じた個数（整数でない場合は四捨五入や切り上げ、切り捨て）を算出する（Ｓ５０４）。このとき、利用者全員に割り当てた領域の個数の総和は、四捨五入や切り上げ、切り捨てを行ったことにより、概ね、暫定分割数ｄ０と異なる数となる。
そこで、ＣＰＵ１１は、この利用者に割り当てた領域の個数の総和を、あらためて分割数ｄとする（Ｓ５０５）。
次に、ＣＰＵ１１は、この分割数ｄにより目標画像を分割する（Ｓ５０６）。この分割は、ｄ個の特徴点抽出に基づくもの（Ｓ３０７３参照）でもよいし、等分割や他の方法であってもよい。
そして、ＣＰＵ１１は、利用者ごとに、この分割された領域をＳ５０４で算出した個数分割り当てて（Ｓ５０７）、モザイク画像を生成する。どの領域にどのユーザー画像を配置するかは、ランダムであってもよいし、ログイン順等所定のルールに基づくものであってもよい。
このモザイク画像は、参加している利用者のユーザー画像を素材画像とし、利用者の寄与度の高い順に多数の領域に割り当てて構成される。そこで、利用者に対して、自分の素材画像を多数表示させたいという動機を生じさせ、その利用者のコミュニティサイトへのアクセスや寄与を活発化させることとなる。
【００２２】
＜実施形態３＞
図６Ａ及び図６Ｂは、実施形態３によるコミュニティサイト管理装置における判断処理の流れを示すフローチャートである。
本実施形態によるコミュニティサイト管理装置のＣＰＵ１１が、利用者のログインを判定し、目標画像、ユーザー画像を取得し、利用者の寄与度を算出する処理は図３におけるＳ３０１〜Ｓ３０６と同様であるため、説明を省略する（Ｓ６０１）。
実施形態３によるコミュニティサイト管理装置のＣＰＵ１１は、目標画像を２以上の特定領域に分割し、この分割した特定領域について重要度を割り当て、利用者の提供した素材画像から前記寄与度の高い順に重要度の高い領域を割り当ててモザイク画像を生成する。この処理の流れは以下のとおりである。
【００２３】
本実施形態によるコミュニティサイト管理装置のＣＰＵ１１は、最初に、参加利用者数ｎを取得する（Ｓ６０２）。
次に、ＣＰＵ１１は、Ｓ６０２で取得した目標画像をｎ個に分割する（Ｓ６０３）。この分割は、等分割であってもよいし、他の方法であってもよい。
そして、ＣＰＵ１１は、この分割した領域ごとに重要度を算出する（Ｓ６０４）。この「重要度」は、例えば、ＣＰＵ１１は、以下の方法で算出することができる。
まず、ＣＰＵ１１は、参加利用者数ｎより十分大きな数ｍを設定する（Ｓ６０４１）。
次に、ＣＰＵ１１は、目標画像から、Ｓ３０７２に述べたような方法によりｍ個の特徴点を抽出する（Ｓ６０４２）。
次に、ＣＰＵ１１は、Ｓ６０３で分割した領域ごとに、領域内にある特徴点の数を算出し、その数を領域の「重要度」とする（Ｓ６０４３）。この方法によれば、特徴点の数が多い領域を重要度の高い領域とすることができる。他にも、ＣＰＵ１１は、人物写真の場合は、「目」＞「口」＞「鼻」＞「耳」＞「肌」＞「髪」＞「背景」等、所定のルールに基づいて重要度を決定することとしてもよい。
次に、ＣＰＵ１１は、利用者ごとの寄与度を取得し（Ｓ６０５）、寄与度の高い利用者のユーザー画像から順に重要度の高い領域に割り当て（Ｓ６０６）、モザイク画像を生成する。
【００２４】
このモザイク画像は、参加している利用者のユーザー画像を素材画像とし、利用者の寄与度の高い順に、重要度の高い領域に割り当てて構成される。そこで、利用者に対して、自分の素材画像をより重要度の高い領域に表示させたいという動機を生じさせ、その利用者のコミュニティサイトへのアクセスや寄与を活発化させることとなる。
【００２５】
＜実施形態４＞
図７は、実施形態４によるコミュニティサイト管理装置における判断処理の流れを示すフローチャートである。
本実施形態によるコミュニティサイト管理装置のＣＰＵ１１は、まずコミュニティデータベース２２より目標画像を取得する（Ｓ７０１）。
次に、ＣＰＵ１１は、利用者からネットワーク２０を通じてログインがあったことを判定する（Ｓ７０２）。
ログインがあったときは、ＣＰＵ１１は、ログインした利用者のユーザー画像を取得する（Ｓ７０３）。
そして、ＣＰＵ１１は、Ｓ７０１で取得した目標画像について、参加している利用者のユーザー画像を素材画像としてモザイク画像を生成する（Ｓ７０４）。なお、本実施形態におけるモザイク画像の生成は、上述した実施形態１〜３の何れの実施形態におけるモザイク画像の生成方法であってよい。
本実施形態によるコミュニティサイト管理装置のＣＰＵ１１は、また、利用者からネットワーク２０を通じて利用者のログアウトがあったか否かを判定する（Ｓ７０５）。
ログアウトがあったときは、ＣＰＵ１１は、ログアウトした利用者のユーザー画像を除いて、目標画像について、参加している利用者のユーザー画像を素材画像とするモザイク画像を生成する（Ｓ７０６）。
【００２６】
これにより、利用者は、モザイク画像の素材画像として表示される各利用者のユーザー画像により、誰が同時に参加しているかをお互いに知ることができる。また、それぞれの寄与度に応じて、各利用者のユーザー画像が、大きな領域で表示されたり、多数表示されたり、重要度の高い領域に表示される。そのため、それぞれ寄与度を高めたいという動機を生じさせ、利用者のコミュニティサイトへのアクセスや寄与を活発化させることとなる。
【００２７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２８】
以上、上述した各実施形態によれば、アクセス頻度等の寄与度の高い利用者についてその利用者の素材画像に対して大きな領域を割り当てたモザイク画像を生成し、コミュニティサイトに表示する。モザイク画像全体として視認される画像（目標画像）を、そのコミュニティサイトのテーマを表す画像に設定すれば、目標画像に占める自分の素材画像の大きさや位置付けが、コミュニティサイトのテーマと自分との関係性として意識される。そこで、目標画像に対して自分の素材画像を大きく表示させたいという動機が生じ、コミュニティサイトへの寄与を高めるインセンティブとして作用する。このため、全体として、コミュニティサイトへのアクセス回数を増大させることができる。
【００２９】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３０】
１１  ＣＰＵ、１２  ＲＯＭ、１３  ＲＡＭ
【図１】
2013222330.tif 000003
【図２】
2013222330.tif 000004
【図３Ａ】
2013222330.tif 000005
【図３Ｂ】
2013222330.tif 000006
【図４】
2013222330.tif 000007
【図５】
2013222330.tif 000008
【図６Ａ】
2013222330.tif 000009
【図６Ｂ】
2013222330.tif 000010
【図７】
2013222330.tif 000011